(57)【特許請求の範囲】
【請求項１】
空気を吸気する開口部を有するフード部と、
前記開口部の縁部との間に、前記空気の吸込み風速を増速させる吸込み隙間を形成する整流板と、
前記フード部に、前記整流板の一端側を着脱可能で、かつ、回動可能に支持する第１支持部と、前記整流板の他端側を着脱可能に支持する第２支持部と、を備え、
前記第１支持部は、前記フード部に備えられる第１掛合部材と、該第１掛合部材と掛合する前記整流板に備えられる第１被掛合部材と、を備え、
前記第１掛合部材は、前記整流板を前記フード部に取り付けたときに、前記第１被掛合部材を掛合する掛止部と、該掛止部に連設して、前記整流板を回動させるときに、前記第１被掛合部材を回動可能に保持する保持部と、を備え、
前記第１支持部に掛合支持された状態で前記整流板を下向きに回動させ、前記第２の支持部が前記フード部の開口部から最大限に離れた状態において、前記整流板の底面から立ち上がる部位と前記第１掛合部材とが当接するようにしたことを特徴とするレンジフード。
【請求項２】
前記第２支持部は、第２掛合部材と、前記整流板の板面と略平行な方向であって、前記第１支持部から遠ざかるまたは近づく方向に、前記第２掛合部材に対して相対的に移動する第２被掛合部材と、を備え、
前記第１掛合部材は、さらに前記保持部から前記フード部に延設されて該フード部に取り付けられる取付片部と、該取付片部と前記掛止部との間に、前記整流板を前記フード部から着脱するときに前記第１被掛合部材を出し入れするための着脱開口部と、を備えていることを特徴とする請求項１に記載のレンジフード。
【請求項３】
前記第２支持部の前記第２掛合部材は、軸部より径が大きい頭部を有する係止ネジであり、
前記第２支持部の前記第２被掛合部材は、前記係止ネジの前記軸部より径が大きく、かつ、前記頭部より径が小さい小径孔部と前記頭部より径が大きい大径孔部とを連設させた略ダルマ形状の前記整流板に設けられる係止孔であり、
前記小径孔部は、前記大径孔部より前記第１支持部から遠い方に設けられて、前記係止ネジの頭部と前記小径孔部の周縁部との係合することにより、前記整流板が前記フード部に取り付けられ、
前記整流板が、板面と略平行に、前記第１支持部から遠ざかる方向に移動することにより、前記係止孔の前記大径孔部が前記係止ネジの前記頭部の位置に相対的に移動し、前記整流板が前記フード部から着脱されることを特徴とする請求項２に記載のレンジフード。
【請求項４】
前記係止孔の前記小径孔部の前記第１支持部から最も離れた部分で、前記係止ネジの前記頭部と前記小径孔部の周縁部とが係合した場合に、前記掛止部に前記第１被掛合部材が掛合することを特徴とする請求項３に記載のレンジフード。
【発明の詳細な説明】
【技術分野】
【０００１】
本発明は、加熱調理器の上方に位置して設置されて、調理中に発生する汚染空気などを吸込み捕集して屋外などに排気するレンジフードに係り、特に、下向きに開口するフード部の開口縁部との間に、汚染空気の吸込み風速を増速させる吸込み隙間を確保するようにフード部に取り付けられる整流板の取付け構造に関する。
【背景技術】
【０００２】
従来から、下向きに開口するフード部の開口縁部との間に、汚染空気の吸込み風速を増速させる吸込み隙間を確保するように整流板をフード部に回動可能で、且つ、着脱可能に取り付けているレンジフードは知られている（例えば、特許文献１などを参照）。
この特許文献１に記載のレンジフードは、整流板の一端側と他端側をフード部に着脱可能に取り付け支持させている。
すなわち、特許文献１の図３に示されているように、整流板の一端側（後端側）は、当該一端側に設けられている軸部材（第１支持金具）を、フード部側に設けられている吊り金具の上部解放で略半円形状の第１支持部と、前部解放で略半円形状の第２支持部とに掛脱可能と成し、整流板の他端側（前端側）は、当該他端側に設けられる大径部と小径部とからなるダルマ孔を、フード部側に設けられている小径のネジ部と大径の摘み部とからなるネジ部によって着脱可能と成している。
【０００３】
これにより、整流板をフード部に取り付ける際に、整流板側の軸部材を、フード部の吊り部材の第１支持部に掛合させ、整流板の他端側ダルマ孔の大径部にフード部のネジ部の摘み部を通し、この状態で整流板をフード部の後方側（キッチン壁面側）に向けて移動操作（スライド）させてネジ部を本締めすることで、整流板をフード部に取り付け支持させるようにしている。このとき、整流板の軸部材のフード部の吊り部材に対する掛合が、第１支持部から第２支持部へと移行され、整流板のダルマ孔の小径部がネジ部の摘み部によって移動不能に挟持される。
【先行技術文献】
【特許文献】
【０００４】
【特許文献１】特開平８−３０３８２９号公報（図３などを参照）
【発明の概要】
【発明が解決しようとする課題】
【０００５】
ところで、特許文献１に記載の従来技術では、整流板の軸部材を掛脱可能に支持させるフード部の吊り金具が、フード部の前側に向けて開口する前方開放の曲げ形状にて第１支持部と第２支持部を備えている形態を成している。
そのために、整流板を回動（局所排気用吸込み口を開く）または取り外すときに、整流板の他端側（前端側）を挟持するフード部側のネジ部を緩めてその挟持状態を解除して整流板をフード部の前方側（キッチン側）に引くように移動操作させた際の勢いで、整流板の軸部材がフード部の吊り金具の第１支持部に受け止め掛合（支持）されることなく、当該第１支持部を越えて前方開放の吊り金具から外れてしまって整流板を加熱調理器などの上に落下させてしまうおそれがあり、その改善が望まれていた。
【０００６】
また、従来技術では、整流板を回動（揺動）させた状態でのフード部内の清掃中に、整流板の軸部材（第１支持金具）が吊り金具から外れて整流板が不用意に落下しないように防ぐ落下防止部材（第２支持金具）を整流板の一端側（後端側）に備える必要があるなどから、フード部に回動可能で、かつ、着脱自在に取り付け支持される整流板の一端側は構造の複雑化を招き、ひいては、加工する部品点数などから生産コストの高騰を招く問題があった。
また、構造が複雑であるが故に、整流板をフード部から取り外してのシンクなどにおいて丸洗いするときに、邪魔になるなどの取扱い性の面においても改善が望まれていた。
【０００７】
そこで、本発明は、前記課題を解消するために創案されたものであり、フード部の前後方向への移動操作によって整流板が回動可能で、かつ、着脱可能に取り付け支持されているレンジフードであって、整流板の着脱操作中やフード部内などの拭き取り清掃中において、整流板を落下させるなどのおそれがない整流板の取付け構造を備えたレンジフードを提供することにある。
【課題を解決するための手段】
【０００８】
前記課題を解決するために、本発明に係るレンジフードでは少なくとも以下の構成を具備している。
すなわち、本発明は、空気を吸気する開口部を有するフード部と、前記開口部の縁部との間に、前記空気の吸込み風速を増速させる吸込み隙間を形成する整流板と、前記フード部に、前記整流板の一端側を着脱可能で、かつ、回動可能に支持する第１支持部と、前記整流板の他端側を着脱可能に支持する第２支持部と、を備え、前記第１支持部は、前記フード部に備えられる第１掛合部材と、該第１掛合部材と掛合する前記整流板に備えられる第１被掛合部材と、を備え、前記第１掛合部材は、前記整流板を前記フード部に取り付けたときに、前記第１被掛合部材を掛合する掛止部と、該掛止部に連設して、前記整流板を回動させるときに、前記第１被掛合部材を回動可能に保持する保持部と、を備え、前記第１支持部に掛合支持された状態で前記整流板を下向きに回動させ、前記第２の支持部が前記フード部の開口部から最大限に離れた状態において、前記整流板の底面から立ち上がる部位と前記第１掛合部材とが当接するようにしたことを特徴とする。
【０００９】
ここで、前記第２支持部は、第２掛合部材と、前記整流板の板面と略平行な方向であって、前記１支持部から遠ざかるまたは近づく方向に、前記第２掛合部材に対して相対的に移動する第２被掛合部材とを備え、前記第１掛合部材は、さらに前記保持部から前記フード部に延設されて該フード部に取り付けられる取付片部と、該取付片部と前記掛止部との間に、前記整流板を前記フード部から着脱するときに前記第１被掛合部材を出し入れするための着脱開口部とを備えている構成、を採用することが好適なものとなる。
【００１０】
また、前記第２支持部の前記第２掛合部材は、軸部より径が大きい頭部を有する係止ネジであり、前記第２支持部の前記第２被掛合部材は、前記係止ネジの前記軸部より径が大きく、かつ、前記頭部より径が小さい小径孔部と前記頭部より径が大きい大径孔部とを連設させた略ダルマ形状の前記整流板に設けられる係止孔であり、前記小径孔部は、前記大径孔部より前記第１支持部から遠い方に設けられて、前記係止ネジの頭部と前記小径孔部の周縁部との係合することにより、前記整流板が前記フード部に取り付けられ、前記整流板が、板面と略平行に、前記第１支持部から遠ざかる方向に移動することにより、前記係止孔の前記大径孔部が前記係止ネジの前記頭部の位置に相対的に移動し、前記整流板が前記フード部から着脱される構成、さらに、前記係止孔の前記小径孔部の前記第１支持部から最も離れた部分で、前記係止ネジの前記頭部と前記小径孔部の周縁部とが係合した場合に、前記掛止部に前記第１被掛合部材が掛合する構成、を採用することが好適なものとなる。
【発明の効果】
【００１１】
本発明によれば、整流板を回動（フード部の開口部を開く）または取り外すとき、整流板の他端側（前側）をフード部に着脱可能に支持する第２支持部を構成する第２掛合部材と第２被掛合部材とによる整流板の掛合支持を解除し、整流板を板面と略平行な方向（第２被掛合部材を第１支持部から遠ざける方向）に移動操作させることで、第１支持部を構成するフード部側の第１掛合部材の掛止部に掛脱可能に掛合されている第１被掛合部材が掛止部に連設されている保持部へと移行されて当該保持部に受け止め掛合（支持）される。このとき、整流板を移動させるときの勢いで、整流板側の第１被掛合部材がフード部側の第１掛合部材の保持部を受け止め掛合されずに第１掛合部材から外れることなく、保持部に確実に受け止め保持される。
つまり、第１被掛合部材は、保持部からフード部に延設されて該フード部に取り付けられる取付片部によって受け止められて、第１掛合部材から離脱が阻止される。これにより、整流板を回動または取り外すときの移動操作によって、従来技術のように、落下させるおそれを確実に防ぐことができる。
【００１２】
また、本発明によれば、整流板を回動させた状態で、整流板側の第１被掛合部材は、第１掛合部材の掛止部と、フード部に延設されて該フード部に取り付けられる取付片部との間において設けられている保持部によって脱落不能に保持されていることで、整流板を回動させてフード部の開口部を開いた状態でのフード部内などの拭き取り清掃中においても整流板を落下させるなどのおそれを確実に防ぐことができる。
つまり、従来技術のように、整流板を回動させた状態で、整流板が不用意に落下することを防ぐための落下防止部材を付加するなどの構造の複雑化と生産コストの高騰を招く付加部材を必要とせずに、整流板の不用意な落下を防ぐことができる。
【図面の簡単な説明】
【００１３】
【図１】整流板をフード部に取り付け支持させた状態で示す本発明の実施形態に係るレンジフードの縦断側面図である
【図２】整流板を回動させてフード部の開口部を開いた状態で示す同縦断側面図である。
【図３】整流板の一例を示す斜視図である。
【図４】第１支持部を構成する第１掛合部材と第１被掛合部材の一例を示す斜視図である。
【図５】フード部の開口部への整流板の取り付け支持とその着脱を説明する説明図であり、（ａ）は、整流板をフード部に取り付け支持させた状態を示し、（ｂ）は、整流板をフード部から着脱するときの状態を示す。
【発明を実施するための形態】
【００１４】
以下、本発明の実施形態について、適宜図面を参照しながら詳細に説明する。
図１は、整流板をフード部に取り付け支持させた状態で示す本発明の実施形態に係るレンジフードの縦断側面図である。
図１において、フード部１および整流板３の前方側（前端側）は紙面左側のキッチンＫ側であり、その後方側（後端側）は紙面右側のキッチン壁面Ｋ１側である。
【００１５】
≪レンジフードの構成≫
レンジフードＡは、図示省略の加熱調理器の上方に位置して設置されて、キッチンＫ内の空気、つまり、加熱調理中に発生する油煙、水蒸気、廃ガスなどの汚染物質が含まれている汚染空気を吸込み捕集して図示省略の排気ダクトを通して屋外などに排気するように構成されている。
このレンジフードＡは、図１に示すように、薄型（平型）のフード部１の上に排気装置２を設置して構成されている。
【００１６】
≪フード部の構成≫
フード部１は、底面視で略四角形状に開口する開口部（捕獲空間）Ｍを有する扁平箱型に形成されている。そして、フード部１は、開口部Ｍの開口縁部との間に吸込み隙間Ｓを形成するように整流板３を備えている。
これにより、レンジフードＡの運転中に吸込み隙間Ｓに作用する増速された吸込み風速によって、汚染空気が吸込み隙間Ｓから開口部Ｍ内に勢い良く吸気されるようにしている。つまり、調理中に、加熱調理器や調理鍋などから舞い上がってくる汚染空気をキッチン天井Ｋ２側などに拡散取り逃がすことなく、整流板３に沿って吸込み隙間Ｓから開口部Ｍ内に効率よく、確実に吸い込み捕集されるようにしている。
【００１７】
≪整流板の構成≫
図３は、本実施形態に係る整流板を示す斜視図である。ここでは、図１および図２を適宜参照しながら説明する。
整流板３は、平板状でフード部１の開口部Ｍの下向き開口形状よりも一回りほど小さめの底面視で略四角形状に形成されている。
そして、このように形成されている整流板３は、図１に示すように、フード部１の開口部Ｍにおける前後部位において第１支持部４および第２支持部５によって着脱可能に取り付け支持され、キッチンＫ側への移動操作によって第２支持部５による支持が解除され、第１支持部４により回動可能で、かつ、着脱可能に取り付け支持されるようになっている。
【００１８】
これにより、開口部Ｍの内面に付着している油脂分や整流板３の裏面側（内側）に付着している油脂分などの汚れを拭き取る清掃を行うときなどにおいて、図２に示すように、第１支持部４に掛合支持させた状態で整流板３をキッチン壁面Ｋ−１側に下向きに回動させることで、整流板３をフード部１から取り外すことなく、開口部Ｍを開くことができるようにしている。また、整流板３をシンクなどにおいて丸洗いするときなどには第１支持部４による支持状態を解除することでフード部１から適宜取り外すことができるようになっている。
【００１９】
≪第１支持部の構成≫
図４は、第１支持部を示す斜視図である。ここでは、図１を適宜参照しながら説明する。
第１支持部４は、整流板３の一端側（以後、後端側と称する）を、開口部Ｍの開口一辺側（以後、後側と称する）において回動可能で、かつ、着脱可能に取り付け支持するものである。
この第１支持部４は、フード部１側に設けられる第１掛合部材６と、整流板３側に設けられて第１掛合部材６に掛脱可能に掛合される第１被掛合部材７とから構成されている。
【００２０】
≪第１掛合部材の構成≫
第１掛合部材６は、図１に示すように、整流板３をフード部１に取り付け支持させたとき、第１被掛合部材の後記する回動軸部が掛脱可能に掛合される掛止部８と、この掛止部８に連設して、図２に示すように、整流板３を下向きに回動させるときに、回動軸部を回動可能に保持する保持部９とを備えている。
【００２１】
また、第１掛合部材６は、図１および図４の（ａ）に示すように、保持部９からフード部１の方向に向けて側面視で斜め横向きの略Ｌ字形状に延設させた取付片部１０を備えている。この取付片部１０の開放端側には固定部１１が外向き（上向き）に折り曲げ備えられており、図１に示すように、止めネジ１２によって開口部Ｍの壁部に取り付けることで、フード部１に配設されるように形成されている。
【００２２】
掛止部８は、図１および図４の（ａ）に示すように、フード部１の前方に向けた斜め上向きの略半円形状に形成されて、整流板３がフード部１の開口部Ｍに略水平状態にて取り付け支持されるときに、第１被掛合部材７の回動軸部１５が掛脱可能に掛合されるようになっている。
【００２３】
保持部９は、図１および図４の（ａ）に示すように、掛止部８よりもフード部１の前方側で斜め下方に位置して上向きの略半円形状に形成されて、図２に示すように、整流板３が下向きの回動されるときに、第１被掛合部材７の回動軸部が回動可能に掛合されるようになっている。
この保持部９は、フード部１の後方に向けた斜め上方位置において連設存在する掛止部８と、フード部１に向けて延設されて取り付けられる取付片部１０との間において形成されていることで、第１被掛合部材７の回動軸部を脱落不能に掛合保持する。つまり、図２に示すように、下向きに回動された整流板３が、フード部１内などの拭き取り清掃中において不用意に落下するなどのおそれを確実に防ぐ。
【００２４】
また、第１掛合部材６は、図１および図４の（ａ）に示すように、取付片部１０と掛止部８との間に着脱開口部１３を備えている。
【００２５】
着脱開口部１３は、整流板３側に設けられる第１被掛合部材７の回動軸部を、第１掛合部材６の取付片部１０と、掛止部８および保持部９との間に対して出し入れするための開口であり、取付片部１０と掛止部８との間において、回動軸部の軸径よりも大きめの開口幅にてフード部１の後方側に向けた略斜め上向き開口状に形成される。
【００２６】
≪第１被掛合部材の構成≫
ここでは、図３を適宜参照しながら説明する。
第１被掛合部材７は、図３に示すように、整流板３の後端側左右において配設されるものであり、側面視で略Ｌ字形状の取付部１４と、二股に分かれている取付部１４の二股上端間にわたり設けられる回動軸部１５とから形成されている。
【００２７】
回動軸部１５は、所望の軸径にて取付部１４の二股上端間にわたり曲げ加工によって取付部１４に一体に形成されて、第１掛合部材６の掛止部８に対して掛脱可能に掛合され、保持部９に対して回動可能に保持されるようになっている。
【００２８】
≪第２支持部の構成≫
第２支持部５は、整流板３の他端側（以後、前端側と称する）を、開口部Ｍの開口他辺側（以後、前側と称する）において移動可能で、かつ、着脱可能に取り付け支持するものである。
この第２支持部５は、フード部１側に備えられる第２掛合部材と、整流板３の板面と略平行な方向であって、第１支持部４から遠ざかるまたは近づく方向に、第２掛合部材に対して相対的に移動する整流板３側に備えられる第２被掛合部材とから構成されている。
【００２９】
≪第２掛合部材および第２被掛合部材の構成≫
第２掛合部材は、フード部１側に取付脚１８を介して備えられる係止ネジ１６であり、第２被掛合部材は、整流板３側に設けられる略ダルマ形状の係止孔１７である。
【００３０】
≪係止ネジの構成≫
係止ネジ１６は、ネジ部（軸部）１６ａと、このネジ部１６ａより径が大きい頭部（摘み部）１６ｂとからなり、フード部１の開口部Ｍの前側左右において配設される取付脚１８にねじ込み備えられて、整流板３の前端側を取付脚１８と協働して係止孔１７の前後開口範囲内でキッチンＫ側とキッチン壁面Ｋ１側との前後方向に移動可能で、かつ、着脱可能に挟持するように形成されている。
また、係止ネジ１６は、ドライバやその他の締付け工具を使用することなく、素手で摘んで締付けることができるように、頭部１６ｂの外周面にローレットやその他の滑り止めが施されている。
【００３１】
≪係止孔の構成≫
ここでは、図３を適宜参照しながら説明する。
係止孔１７は、図３に示すように、整流板３の前端側左右に配設されるものであり、係止ネジ１６のネジ部１６ａより径が大きく、かつ、頭部１６ｂより径が小さい小径孔部１７ａと、頭部１６ｂより径が大きい大径孔部１７ｂとを連設させた平面視で略ダルマ形状に形成されている。
【００３２】
小径孔部１７ａは、図３に示すように、大径孔部１７ｂより第１支持部４から遠い方（図１に示すキッチンＫ側）に、大径孔部１７ｂに連設されて設けられて、後記の図５の（ａ）に示すように、係止ネジ１６の頭部１６ｂと取付脚１８との間で挟持されることにより、整流板３をフード部１に取り付け支持する。そして、整流板３が、図５の（ｂ）に示すように、第１支持部４から遠ざかる方向（図１に示すキッチンＫ側）に操作移動されることにより、係止孔１７の大径孔部１７ｂが係止ネジ１６の頭部１６ｂの位置に相対的に移動し、整流板３の挟持状態が解除されて回動または取り外されるようになっている。
【００３３】
［作用説明］
図５は、フード部の開口部への整流板の取り付け支持とその着脱を説明する説明図である。ここでは、図１および図２を適宜参照しながら説明する。
以上のように構成されている第１支持部４および第２支持部５を適用させて整流板３をフード部１の開口部Ｍに取り付け支持させてなる本実施形態に係るレンジフードＡによれば、図１および図５の（ａ）に示すように、整流板３がフード部１の開口部Ｍに略水平に取り付け支持されている状態では、第１支持部４を構成する整流板３側の第１被掛合部材７の回動軸部１５は、フード部１側の第１掛合部材６の掛止部８に掛脱可能に掛合される。
【００３４】
そして、第２支持部５を構成するフード部１側の係止ネジ１６の締め付け状態を緩め、整流板３をキッチンＫ側に操作移動されることにより、図５の（ｂ）に示すように、係止孔１７の大径孔部１７ｂが係止ネジ１６の頭部１６ｂの位置に相対的に移動し、整流板３の挟持状態が解除されるとともに、フード部１側の第１掛合部材６の掛止部８に掛脱可能に掛合されていた整流板３側の第１被掛合部材７の回動軸部１５は、掛止部８から保持部９側へと移行し当該保持部９に回動可能に保持される。このとき、整流板３をキッチンＫ側に移動させるときの勢いで、整流板３側の第１被掛合部材７の回動軸部１５がフード部１側の第１掛合部材６の保持部９を受け止め掛合されずに第１掛合部材６から外れることなく、保持部９に確実に受け止め保持される。つまり、整流板３のキッチンＫ側への移動操作により回動軸部１５が掛止部８から保持部９側に移行されるとき、保持部９からフード部１に向けて延設されている取付片部１０によって回動軸部１５は第１掛合部材６に受け止められる。
これにより、整流板３を図２に示すように下向きに回動させてフード部１の開口部Ｍを開くことができる。
【００３５】
以上、本発明の実施形態の具体例を詳細に説明したが、前記詳述の実施形態は例示にすぎなく、特許請求の範囲を限定するものではない。特許請求の範囲に記載の技術事項には、本発明の要旨を逸脱しない範囲で設計変更などしたものであっても含まれるものである。
例えば、第１支持部を構成する第１被掛合部材の回動軸部を片持ち支持として、第１掛合部材と第１被掛合部材とが摺動することにより、整流板３が板面と略平行な方向に移動してフード部１から着脱される構成とすることができる。
この場合、複数の第１被掛合部材の回動軸部の片持ち支持は、同じ向き方向とし、整流板を回動軸部の軸方向に移動することでフード部から取り外すことができる。
【００３６】
また、第１支持部を構成する第１掛合部材を整流板３側に、第１被掛合部材をフード部１側に備えることができる。
【符号の説明】
【００３７】
Ａ      レンジフード
１      フード部
２      排気装置
３      整流板
４      第１支持部
５      第２支持部
６      第１掛合部材
７      第１被掛合部材
８      掛止部
９      保持部
１０    取付片部
１３    着脱開口部
１５    回動軸部
１６    止めネジ（第２掛合部材）
１６ａ  ネジ部（軸部）
１６ｂ  頭部
１７    ネジ孔（第２被掛合部材）
１７ａ  小径孔部
１７ｂ  大径孔部
【図１】
0005780819.tif 000002
【図２】
0005780819.tif 000003
【図３】
0005780819.tif 000004
【図４】
0005780819.tif 000005
【図５】
0005780819.tif 000006